(57)【要約】【課題】  パネルを躯体側に設けた支柱の側面部で支持することができ、容易に上下前後左右方向の３次元方向に位置調整が可能であり、取付が簡単で、体裁の良いパネル支持装置を提供する。【解決手段】  パネル支持装置２は、板ガラス１の固定ボルト５に螺着され支柱側面部４方向に延びる連結杆１０を有する支持ブラケット７と、支柱側面部４にねじ着される基部１９と該連結杆１０方向に延びる腕部２０を有する支柱ブラケット８を具備している。該基部１９には上下方向に延びる上下長孔２１が設けられ、該腕部２０には左右方向に延びる位置調整用長孔２２が形成されている。上記支持ブラケット７のねじ込み量を調整して板ガラス１と支柱３との前後方向の位置関係を定め、上記支柱ブラケット８を上下方向に調整して上記連結杆１０と上記腕部２０を重ね合わせ、両者を左右方向に微調整して連結する。【選択図】図２
2009249878.tif 000002
【特許請求の範囲】
【請求項１】
パネルを躯体側に設けた支柱で支持するパネル支持装置において、上記支柱の側面部方向に延びる連結杆を有し上記パネルに取り付けられる支持ブラケットと、該支持ブラケット方向に延びる腕部を有し上記支柱の側面部に取り付けられる支柱ブラケットを形成し、上記支柱ブラケットの上記連結杆が該支柱ブラケットに対向する位置に存するよう該支持ブラケットを上記パネルに固定されたボルトに前後方向に調整して螺着し、上記支柱ブラケットの上記腕部が上記支持ブラケットの上記連結杆の位置に対応するよう上下方向に調整して該支柱ブラケットを上記支柱側面部にねじ着し、上記支持ブラケットの連結杆と上記支柱ブラケットの腕部を左右方向に調整して連結したことを特徴とするパネル支持装置。
【請求項２】
上記支柱ブラケットは上記支柱の側面部に沿う形状の基部を有し、該基部には支柱の側面部に固定するためのねじを挿通するよう上下方向に延びる上下長孔が形成されていることを特徴とする請求項１に記載のパネル支持装置。
【請求項３】
上記支持ブラケットの連結杆と上記支持ブラケットの腕部のうちいずれか一方の部材には、該部材と他方の部材を連結するための連結ボルトを挿通し左右方向に調整してねじ着できるよう左右方向に延びる位置調整用長孔が形成されていることを特徴とする請求項１または請求項２に記載のパネル支持装置。
【請求項４】
上記位置調整用長孔は、上記支持ブラケットの連結杆と上記支柱ブラケットの腕部を重ね合わせたとき下側に位置する方の部材に設けられていることを特徴とする請求項３に記載のパネル支持装置。
【請求項５】
上記支持ブラケットの連結杆と上記支柱ブラケットの腕部のうちいずれか一方の部材には、両者を重ね合わせたとき上側に位置する方の部材が下側に位置する方の部材を覆い隠すよう側壁部が形成されていることを特徴とする請求項３または請求項４に記載のパネル支持装置。
【請求項６】
上記支持ブラケットは平面視略Ｌ字状に設けられ、上記位置調整用長孔は上記腕部の長手方向に沿って形成されていることを特徴とする請求項３ないし請求項５のいずれかに記載のパネル支持装置。
【発明の詳細な説明】
【技術分野】
【０００１】
本発明は、パネルを躯体側に設けた支柱に支持するためのパネル支持装置に関するものである。
【背景技術】
【０００２】
従来、例えばＤＰＧ構法などパネルを躯体側に設けた支柱に支持するパネル支持構造が種々知られているが、パネルに固定されたボルトと支持装置の位置が上下前後左右方向にずれてしまうので、取付作業が難しかった。そこで、３次元方向に位置調整可能な構成を有するパネル取付構造が提案されている（例えば、特許文献１参照）。しかし、該特許文献１に記載されているような従来のパネル支持構造は、構成が複雑であり、例えばパネルと対向しない支柱側面部でパネルを支持することもできないし、体裁もよくなく、取付作業も面倒だった。
【特許文献１】特開平９−６０１７４号公報（特許請求の範囲、段落００２３、００２６、００４６、図１〜図８）
【発明の開示】
【発明が解決しようとする課題】
【０００３】
本発明が解決しようとする課題は、パネルを躯体側に設けた支柱の側面部で支持することができ、容易に上下前後左右方向の３次元方向に位置調整が可能であり、取付が簡単で、体裁の良いパネル支持装置を提供することである。
【課題を解決するための手段】
【０００４】
本発明によれば、パネルを躯体側に設けた支柱で支持するパネル支持装置において、上記支柱の側面部方向に延びる連結杆を有し上記パネルに取り付けられる支持ブラケットと、該支持ブラケット方向に延びる腕部を有し上記支柱の側面部に取り付けられる支柱ブラケットを形成し、上記支柱ブラケットの上記連結杆が該支柱ブラケットに対向する位置に存するよう該支持ブラケットを上記パネルに固定されたボルトに前後方向に調整して螺着し、上記支柱ブラケットの上記腕部が上記支持ブラケットの上記連結杆の位置に対応するよう上下方向に調整して該支柱ブラケットを上記支柱側面部にねじ着し、上記支持ブラケットの連結杆と上記支柱ブラケットの腕部を左右方向に調整して連結したことを特徴とするパネル支持装置が提供され、上記課題が解決される。なお、本発明においては、例えば床面から垂直に起立する断面略矩形状の支柱でパネルを支持する場合に、支柱の起立する方向を上下方向、該支柱からみてパネルの存する方向を前後方向、該支柱の側面部の方向を左右方向というものとする。
【発明の効果】
【０００５】
本発明は、上記のように構成され、パネルを躯体側に設けた支柱で支持するパネル支持装置において、上記支柱の側面部方向に延びる連結杆を有し上記パネルに取り付けられる支持ブラケットと該支持ブラケット方向に延びる腕部を有し上記支柱の側面部に取り付けられる支柱ブラケットを形成し、上記パネルに固定されたボルトに上記支持ブラケットを螺着し、上記支柱ブラケットを上下方向に調整して支柱にねじ着し、上記支持ブラケットの連結杆と上記支柱ブラケットの腕部を重ね合わせて連結するようにしたので、まずパネルに固定されているボルトに上記支持ブラケットを螺着して該支持ブラケットの連結杆が上記支柱ブラケットに対向する位置に存するよう前後方向に位置調整し、次いで該支持ブラケットの連結杆と該支柱ブラケットの腕部がうまく重なり合うよう該支柱ブラケットを支柱側面部に取り付ける高さを上下方向に調整し、最後に該連結杆と該腕部の連結位置を左右方向に微調整して連結すれば、３次元方向で取付位置の調整を行いつつパネルを容易に支柱側面部（パネルと対向しない支柱面）に取り付けることができ、体裁も良い。
【発明を実施するための最良の形態】
【０００６】
本発明は、パネルを支柱側面部、すなわちパネルと対向しない支柱面で支持する各種のパネル支持構造に適用することができるが、図１は、板ガラス１を、本発明のパネル支持装置２によって、断面略矩形状に形成された支柱３の側面部４に支持するようにした本発明の一実施例を示している。なお、上記パネルは板ガラスに限定されるものではなく、その他適宜のパネル部材を支持することができる。また、支柱の断面形状は、図１に示す断面形状のほか、例えば断面略多角形状などに形成されたものであってもよい。
【０００７】
また、公知のように、上記板ガラス１には、上記支柱３側へ突出する固定ボルト５が設けられており、該固定ボルト５の根元部には該板ガラス１と密着するよう固定部材６が螺着されている（図２）。パネル支持装置２は、該固定ボルト５の先端部に螺着される支持ブラケット７と該支持ブラケット７に連結される支柱ブラケット８を具備している。
【０００８】
上記支持ブラケット７は、平面視略Ｌ字状に形成され、上記固定ボルト５に螺着される支持ブラケット本体９と該支持ブラケット本体９の側方に延出して設けられる連結杆１０を有する。該支持ブラケット本体９には上記固定部材６を嵌入可能な嵌入口１１が設けられ、該嵌入口１１の底部１２には上記固定ボルト５にねじ係合するねじ孔１３が形成されている。該支持ブラケット本体９の裏面側にはビス孔１４が設けられ（図３）、該ビス孔１４にビス１５をねじ込んで固定ボルト５に締着させることにより上記支持ブラケット７は回り止めされる。本実施例においては、上記支持ブラケットは平面視略Ｌ字状に設けられているが、パネルと支柱側面部の位置関係や意匠性などの観点から適宜の形状に形成することができる。
【０００９】
上記連結杆１０は、支柱ブラケット８の腕部２０と重ね合わせることができるように設けられている。この重ね合わせは、前後方向に重ね合わせる構成でもよいが、図に示す実施例では上下方向に重ね合わせる構成にしてある。そして、該腕部２０と重ね合わせたとき連結杆１０が上側に位置するよう形成してある。図３に示すように、該連結杆１０の下面には、該連結杆１０と上記腕部２０を連結する連結ボルト１６に対応するボルト孔１７が該連結杆１０の上面に貫通しないように設けられている。また、該連結杆１０には、上記腕部２０に重ね合わせたとき該腕部２０を覆い隠すよう側壁部１８が形成されているので、連結杆１０と腕部２０の連結部分が外部に露出せず体裁がよい。本実施例においては、上記連結杆は上記腕部と重ね合わせたとき上側に位置するよう設けられているが、下側に位置するよう形成してもよい。また、本実施例では、上記連結杆の下面にボルト孔が設けられているが、上面に形成することもできる。さらに、本実施例において、上記側壁部は上記連結杆に設けられているが、該連結杆と上記腕部の連結部分を覆い隠すよう形成されていればよく、該腕部に設けることもできる。所望により、該側壁部を設けずに、別体に形成したカバーにより上記連結部分を被覆してもよい。
【００１０】
上記支柱ブラケット８は、上記支柱３の側面部４に沿う形状に形成された基部１９と該基部１９の側方に延出して設けられる上記腕部２０を有する。図４に示すように、該基部１９には上記支柱側面部４に固定するためのねじ２１を挿通するよう上下方向に延びる上下長孔２２が設けられ、該支柱側面部４には該ねじ２１に対応するねじ孔２３が形成されている。上記腕部２０には、上記連結杆１０と重ね合わせて左右方向に位置調整しつつ上記ボルト孔１７に連結ボルト１６をねじ込んで両者を連結できるよう、該腕部２０の長手方向に沿って左右に延びる位置調整用長孔２４が形成されている。本実施例において、上記位置調整用長孔は支柱ブラケットの腕部に設けられているが、上記支持ブラケット側から連結ボルトを挿入するようにした場合には上記連結杆に形成してもよい（図示略）。また、本実施例では、上記腕部は上記基部に対し垂直方向に延出して設けられているが、上記支持ブラケットの連結杆の構成に応じて適宜斜方向等に延出して設けることができる。
【００１１】
図５は他の実施例を示し、断面略多角形状に形成された支柱の側面部で板ガラスを支持する場合の実施例である。このように形成された支柱であっても、図１ないし図４に示す上記実施例と同じように板ガラスを支持することができる。
【００１２】
而して、上記支持ブラケット７のねじ込み量を調整して板ガラス１と支柱３の前後方向の位置関係を定め、上下長孔２４を用いて上下方向に調整して上記支持ブラケット７の連結杆１０と上記支柱ブラケット８の腕部２０がうまく重なり合う高さで該支柱ブラケット８の基部１９を支柱側面部４にねじ着し、上記連結杆１０と上記腕部２０の重ね合わせ位置を上記位置調整用長孔２４を用いて左右方向に微調整して連結ボルト１６で両者を連結すれば、容易に板ガラス１を支柱３の側面部４に取り付けることができる。
【図面の簡単な説明】
【００１３】
【図１】本発明におけるパネル支持装置の一実施例であってその取付状態を示す斜視図である。
【図２】図１に示す実施例においてＡ−Ａ断面で切断した説明図である。
【図３】図２に示す実施例においてＢ−Ｂ断面で切断した説明図である。
【図４】図２に示す実施例においてＣ−Ｃ断面で切断した説明図である。
【図５】他の実施例を示す説明図である。
【符号の説明】
【００１４】
１  板ガラス
２  パネル支持装置
３  支柱
４  側面部
７  支持ブラケット
８  支柱ブラケット
１０  連結杆
２０  腕部
２２  上下長孔
２４  位置調整用長孔
【図１】
2009249878.tif 000003
【図２】
2009249878.tif 000004
【図３】
2009249878.tif 000005
【図４】
2009249878.tif 000006
【図５】
2009249878.tif 000007